(57)【要約】【課題】  本発明は足場の悪い所でのボルト、ナットを用いて組み付ける木造住宅用部材に、あらかじめボルト挿入孔と、このボルト挿入孔の一端部にボルトの押し込みにより螺合するナットピースを備えるナットとを、ナットピースの位置する部位を回転可能に固定して、組み付け時にボルト挿入孔へのボルト挿入だけでボルトとナットとの取付けを図り、安全で、短時間に低コストで組み付けることができる木造住宅用部材を得るにある。【解決手段】  ボルト、ナットを用いて接続する構造材や造作材といわれる木造住宅用部材において、この木造住宅用部材を組み付ける前に木造住宅用部材本体にボルト挿入孔を形成するとともに、該ボルト挿入孔の一端部に固定された座金および、該座金に回転可能に取付けられた前記ボルト挿入孔より挿入されたボルトの押し込みにより螺合する、常時締付け方向に付勢されたナットピースを備えるナットを設けて木造住宅用部材を構成している。【選択図】  図１
2010196355.tif 000002
【特許請求の範囲】
【請求項１】
ボルト、ナットを用いて接続する構造材や造作材といわれる木造住宅用部材において、この木造住宅用部材を組み付ける前に木造住宅用部材本体にボルト挿入孔を形成するとともに、該ボルト挿入孔の一端部に固定された座金および、該座金に回転可能に取付けられた前記ボルト挿入孔より挿入されたボルトの押し込みにより螺合する、常時締付け方向に付勢されたナットピースを備えるナットを設けたことを特徴とする木造住宅用部材。
【請求項２】
ナットピースを備えるナットは、ナットの頭部を叩くことで木造住宅用部材本体に食い込み固定される少なくとも２個以上の係止爪が形成された座金が用いられていることを特徴とする請求項１記載の木造住宅用部材。
【請求項３】
木造住宅用部材本体のボルト挿入孔の一方の端部にはナットピースを備えるナットが挿入状態で固定されるナット挿入凹部が形成されていることを特徴とする請求項１記載の木造住宅用部材。
【発明の詳細な説明】
【技術分野】
【０００１】
本発明は木造住宅の柱、桁、梁の構造材や造作材をボルト、ナットで接続して使用する場合に使用される木造住宅用部材に関する。
【背景技術】
【０００２】
従来、この種の木造住宅用部材は組み立てる前にボルト、ナットで固定できるようにドリルでボルト挿入孔を形成し、木造住宅用部材を組み付ける部位に位置させた所でボルト挿入孔にボルトを挿入し、挿入されたボルトの先端部にナットを螺合させて締付け固定している。
【０００３】
このため、足場等の安定しない部位でのボルト、ナットの取付けや、締付け作業を行なわなければならず、危険な作業となるとともに、組み付ける時間がかかり、コスト高となるという欠点があった。
【先行技術文献】
【特許文献】
【０００４】
【特許文献１】特になし
【発明の概要】
【発明が解決しようとする課題】
【０００５】
本発明は以上のような従来の欠点に鑑み、足場の悪い所でのボルト、ナットを用いて組み付ける木造住宅用部材に、あらかじめボルト挿入孔と、このボルト挿入孔の一端部にボルトの押し込みにより螺合するナットピースを備えるナットとを、ナットピースの位置する部位を回転可能に固定して、組み付け時にボルト挿入孔へのボルト挿入だけでボルトとナットとの取付けを図り、安全で、短時間に低コストで組み付けることができる木造住宅用部材を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はボルト、ナットを用いて接続する構造材や造作材といわれる木造住宅用部材において、この木造住宅用部材を組み付ける前に木造住宅用部材本体にボルト挿入孔を形成するとともに、該ボルト挿入孔の一端部に固定された座金および、該座金に回転可能に取付けられた前記ボルト挿入孔より挿入されたボルトの押し込みにより螺合する、常時締付け方向に付勢されたナットピースを備えるナットを設けて木造住宅用部材を構成している。
【発明の効果】
【０００８】
以上の説明から明らかなように、本発明にあっては次に列挙する効果が得られる。
【０００９】
（１）ボルト、ナットで接続される構造材や造作材といわれる木造住宅用部材にボルト挿入孔および、ナットピースを備えるナットが固定されているので、木造住宅用部材を組み付ける部位に位置させ、ボルト挿入孔にボルトを押し込むことによりナットと螺合し、接続部材同士をボルト、ナットで取付けることができる。
したがって、安全で、短時間に接続部材を取付けることができる。
なお、ボルトの挿入だけで十分にナットピースを備えたナットと螺合させることができるが、ナットピースが設けられた部位を回転させることにより、所定の締付け力となるように螺合締付けさせることができる。
【００１０】
（２）前記（１）により、木造住宅用部材の組み付けはボルト挿入孔へのボルト挿入により、該ボルトをナットピースを備えたナットと螺合させることができる。
したがって、その操作が楽で、一人でも安全に行なうことができる。
【００１１】
（３）前記（１）により、工場や設置現場の地上で、木造住宅用部材にボルト挿入孔やナットピースを備えたナットを固定できるので、その作業は楽で、正確に行なうことができる。
【００１２】
（４）請求項２も前記（１）〜（３）と同様な効果が得られるとともに、ナットピースを備えたナットの木造住宅用部材本体への取付けは、ナットの頭部を叩くことで、容易に木造用住宅部材本体へ食い込み固定させることができる。
したがって、簡単に、短時間にナットの座金を木造住宅用部材本体に固定することができる
【図面の簡単な説明】
【００１３】
【図１】本発明を実施するための第１の形態の正面図。
【図２】本発明を実施するための第１の形態の平面図。
【図３】図２の３−３線に沿う拡大断面図。
【図４】本発明を実施するための第１の形態のナットピースを備えるナットの正面図。
【図５】本発明を実施するための第１の形態のナットピースを備えるナットの平面図。
【図６】本発明を実施するための第１の形態のナットピースを備えるナットの底面図。
【図７】図4の７−７線に沿う断面図。
【図８】図4の８−８線に沿う断面図。
【図９】本発明を実施するための第１の形態のナットの取付け状態を示す説明図。
【図１０】本発明を実施するための第１の形態の木造住宅用部材の組み付け状態の平面図。
【図１１】図１０の１１−１１線に沿う断面図。
【図１２】本発明を実施するための第２の形態の平面図。
【図１３】本発明を実施するための第２の形態の側面図。
【図１４】本発明を実施するための第２の形態のナットピースを備えるナットの平面図。
【図１５】図１４の１５−１５線に沿う断面図。
【図１６】図１４の１６−１６線に沿う断面図。
【図１７】本発明を実施するための第３の形態の平面図。
【図１８】本発明を実施するための第３の形態の側面図。
【図１９】本発明を実施するための第３の形態のナットピースを備えるナットの正面図。
【図２０】本発明を実施するための第３の形態のナットピースを備えるナットの平面図。
【図２１】本発明を実施するための第4の形態の平面図。
【図２２】本発明を実施するための第4の形態の側面図。
【図２３】本発明を実施するための第4の形態の要部拡大説明図。
【発明を実施するための形態】
【００１４】
以下、図面に示す本発明を実施するための形態により、本発明を詳細に説明する。
【００１５】
図１ないし図１１に示す本発明を実施するための第１の形態において、１は本発明の木造住宅用部材としての梁で、この梁１は木造住宅用部材本体としての梁本体２と、この梁本体２両端部に形成された蟻ほぞ３、３と、前記梁本体２の両端部寄りの部位に形成されたカンザシボルト挿入孔４、４と、このカンザシボルト挿入孔４、４の一方の端部に軸心が一致するように形成されたナット挿入凹部５、５と、このナット挿入凹部５、５に治具６を用いてハンマー７で叩いて喰い込み固定されたナットピースを備えるナット８、８とで構成されている。
【００１６】
前記ナットピースを備えるナット８、８は、図４ないし図８に示すように、外壁が六角形状に形成され、内壁に順次小径となる傾斜孔９を有するナット本体１０と、このナット本体１０の大径側の端部に取付けられたボルト挿入孔１１を有するストッパー片１２と、前記ナット本体１０の内壁面の軸心方向に形成される３個のガイド片１３、１３、１３と、このガイド片１３、１３、１３間に軸心方向にスライド移動可能に取付けられた内壁面にボルトと螺合するねじ山１４が形成された３個のナットピース１５、１５、１５と、このナットピース１５、１５、１５を常時前記ナット本体１０の小径側に付勢するように、該ナットピース１５、１５、１５の後端部に配置した支持座金１６と前記ストッパー片１２との間に介装された付勢スプリング１７と、前記ナット本体１０の小径側に回転可能に取付けられた座金１８と、この座金１８に形成された、前記ナット本体１０の頭部１０ａを、図９に示すように治具６を用いてハンマー７で叩くことで、前記ナット挿入凹部５内の梁本体２に食い込み固定される複数個、本実施の形態では６個の係止爪１９、１９、１９、１９、１９、１９とで構成されている。
【００１７】
２０、２０は本発明の木造住宅用部材としての桁で、この桁２０、２０は木造住宅用部材本体としての桁本体２１、２１と、この桁本体２１、２１の柱２２、２２、２２、２２、２２、２２を取付ける部位に形成された柱２２、２２、２２、２２、２２、２２のほぞ２３、２３、２３、２３、２３、２３が嵌合できるように形成されたほぞ溝２４、２４、２４、２４、２４、２４と、このほぞ溝２４、２４、２４、２４、２４、２４が形成された部位の近傍に形成された、前記梁本体２の両端部の蟻ほぞ３、３と嵌合するように形成された蟻ほぞ溝２５、２５と、前記梁本体２、２、２に取付ける羽子板ボルト２６のボルト２７が挿入される前記桁本体２１、２１に形成されたボルト挿入孔２８、２８、２８、２８、２８、２８と、このボルト挿入孔２８、２８、２８、２８、２８、２８の外側部に軸心が一致するように形成されたナット挿入凹部５、５、５、５、５、５と、このナット挿入凹部５、５、５、５、５、５に治具６を用いて、ハンマー７で叩いて食い込み固定させた、前述のナットピースを備えるナット８と同一構成のナットピースを備えるナット８、８、８、８、８、８とで構成されている。
【００１８】
上記構成の木造住宅用部材としての梁１と桁２０は、柱２２、２２、２２、２２、２２、２２のほぞ２３、２３、２３、２３、２３、２３が桁２０、２０のほぞ溝２４、２４、２４、２４、２４、２４内に嵌合固定させる。
しかる後、桁２０、２０の蟻ほぞ溝２５、２５、２５、２５、２５、２５内に梁１、１、１の両端部の蟻ほぞ３、３、３、３、３、３を嵌合固定する。
しかる後、桁２０、２０のボルト挿入孔２８、２８、２８、２８、２８、２８に羽子板ボルト２６、２６、２６、２６、２６、２６のボルト２７、２７、２７、２７、２７、２７を押し込むことにより、該羽子板ボルトト２６、２６、２６、２６、２６、２６のボルト２７、２７、２７、２７、２７、２７がナットピースを備えるナット８、８、８、８、８、８と螺合する。
次に羽子板ボルト２６、２６、２６、２６、２６、２６の羽子板部分２６ａ、２６ａ、２６ａ、２６ａ、２６ａ、２６ａのボルト挿入孔２９、２９、２９、２９、２９、２９および、梁１、１、１のカンザシボルト挿入孔４、４、４、４、４、４にカンザシボルト３０、３０、３０、３０、３０、３０を押し込むことにより、梁１、１、１に固定されたナットピースを備えたナット８、８、８、８、８、８と螺合させると、自動的にナットピースを備えたナット８、８の付勢スプリング１７、１７で締付け固定できる。
必要に応じて梁１、１、１および桁２０、２０に取付けられたナットピースを備える１２個のナット８のナット本体１０をインパクトドライバー３１等で増締めして、所定の締付け力で梁１と桁２０を固定してもよい。
このため、安全で、楽な作業で梁１と桁２０を羽子板ボルト２０、カンザシボルト３０、ナットピースを備えたナット８、８で締付け固定することができる。
【００１９】
なお、ナット挿入凹部５へのナットピースを備えたナット８の固定は、図９に示すようにナットピースを備えたナット８に丸棒あるいはボルトを取付け、丸棒あるいはボルトをカンザシボルト挿入孔４、ボルト挿入孔２８へ挿入した状態で治具６を介してナットピースを備えたナット８をハンマー７で叩いて、座金１８の係止爪１９、１９、１９、１９、１９、１９を食い込ませて固定すれば、ボルト挿入孔４、２８の軸心とナットピースを備えたナット８の軸心とが同一となり、ボルト挿入孔４、２８に挿入したボルト２７、３０がナットピースを備えたナット８に螺合しなかったり、しずらくなったりする不具合を確実に防止することができる。
なお、ナットピースを備えたナット８は木造住宅用部材としての梁１の梁本体２や、桁２０の桁本体２１の外面より突出していないため、隙間なく、重ねて効率よく輸送できる。
[発明を実施するための異なる形態]
【００２０】
次に、図１２ないし図２３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１２ないし図１６に示す本発明を実施するための第２の形態において、前記本発明を実施するための第１の形態と主に異なる点は、ナット本体1０の内壁面に、軸心方向に２個のガイド片１３、１３を形成するとともに、このガイド片１３、１３間に２個のナットピース１５Ａ、１５Ａを備えたナットピースを備えたナット８Ａを用いた点で、このように構成されたナットピースを備えたナット８Ａを用いた木造住宅用部材１Ａとしての梁１Ａや桁２０Ａにしても、前記本発明を実施するための第１の形態と同様な作用効果が得られる。
【００２２】
図１７ないし図２０に示す本発明を実施するための第３の形態において、前記本発明を実施するための第１の形態と主に異なる点は、座金１８に釘あるいはビス３２、３２を取付ける挿入孔３３、３３を形成したナットピースを備えるナット８Ｂを用いた点で、このようなナットピースを備えるナット８Ｂを用いた木造住宅用部材としての梁１Ｂや桁２０Ｂにしても、前記本発明を実施するための第１の形態と同様な作用効果が得られる。
なお、本発明の実施の形態では座金１８に２個の釘あるいはビス３２、３２を取付ける挿入孔３３、３３を形成したものについて説明したが、本発明はこれに限らず、座金１８に１個〜複数個の挿入孔３３を形成してもよい。
【００２３】
図２１ないし図２３に示す本発明を実施するための第４の形態において、前記本発明を実施するための第１の形態と主に異なる点は、ボルト挿入孔４、２８を形成した梁本体２や桁本体２１を現場へ運び、現場の作業場でボルト挿入孔４、２８の一端部に軸心方向が同一となるようにナットピースを備えたナット８を固定し、木造住宅用部材としての梁１Ｃや桁２０Ｃにした後、上棟しても前記本発明を実施するための第１の形態と同様な作用効果が得られる。
【００２４】
なお、前記本発明を実施するための各形態では、木造住宅用部材として梁や桁について説明したが、柱や造作材についても同様に実施することができる。
【産業上の利用可能性】
【００２５】
本発明は梁、桁、柱等の木造住宅用部材を製造する産業で利用される。
【符号の説明】
【００２６】
１、１Ａ、１Ｂ、１Ｃ：木造住宅用部材としての梁、
２：梁本体、                  ３：蟻ほぞ、
４：カンザシボルト挿入孔、    ５：ナット挿入凹部、        
６：治具、                    ７：ハンマー、
８、８Ａ、８Ｂ：ナットピースを備えたナット、
９：傾斜孔、                  １０：ナット本体、
１１：ボルト挿入孔、          １２：ストッパー片、
１３：ガイド片、              １４：ねじ山、
１５、１５Ａ：ナットピース、  １６：支持座金、
１７：付勢スプリング、        １８：座金、
１９：係止爪、
２０、２０Ａ、２０Ｂ、２０Ｃ：木造住宅用部材としての桁、
２１：桁本体、                ２２：柱、
２３：ほぞ、                  ２４：ほぞ溝、
２５：蟻ほぞ溝、              ２６：羽子板ボルト、
２７：ボルト、                ２８：ボルト挿入孔、
２９：ボルト挿入孔、          ３０：カンザシボルト、
３１：インパクトドライバー、  ３２：釘あるいはビス、
３３：挿入孔。
【図１】
2010196355.tif 000003
【図２】
2010196355.tif 000004
【図３】
2010196355.tif 000005
【図４】
2010196355.tif 000006
【図５】
2010196355.tif 000007
【図６】
2010196355.tif 000008
【図７】
2010196355.tif 000009
【図８】
2010196355.tif 000010
【図９】
2010196355.tif 000011
【図１０】
2010196355.tif 000012
【図１１】
2010196355.tif 000013
【図１２】
2010196355.tif 000014
【図１３】
2010196355.tif 000015
【図１４】
2010196355.tif 000016
【図１５】
2010196355.tif 000017
【図１６】
2010196355.tif 000018
【図１７】
2010196355.tif 000019
【図１８】
2010196355.tif 000020
【図１９】
2010196355.tif 000021
【図２０】
2010196355.tif 000022
【図２１】
2010196355.tif 000023
【図２２】
2010196355.tif 000024
【図２３】
2010196355.tif 000025